(57)【要約】【課題】光源部を着脱可能に装着するベース部を備えた発光モジュールにおいて、光源部をベース部から取り外す際に光源部の落下を防止する。【解決手段】発光モジュール１は、平板状の光源部２と、円板状のベース部３と、を備える。光源部２は、その発光面２Ａとは反対側の取付面２Ｂに自身をベース部３に着脱可能に取り付けるための取付機構２４を有する。ベース部３は、光源部２を装着する装着面３Ａに取付機構２４と係合する被取付機構３２を有する。また、発光モジュール１は、光源部２とベース部３とを互いに繋ぎ止めるフック機構４を更に備える。上記構成によれば、光源部２をベース部３から取り外す際に、例えば、作業者が光源部２を引っ張り過ぎて取付機構２４と被取付機構３２との係合が急に外れたとしても、フック機構４により光源部２とベース部３とが互いに繋ぎ止められている。そのため、光源部２のベース部３からの落下を防止することができる。【選択図】図７
2015022934.tif 000002
【特許請求の範囲】
【請求項１】
平板状の光源部と、この光源部よりも小さい円板状のベース部と、を備えた発光モジュールであって、
前記光源部は、一の面を発光面として、前記発光面とは反対側の取付面に自身を前記ベース部に着脱可能に取り付けるための取付機構を有し、
前記ベース部は、前記光源部を装着する装着面に前記取付機構と係合する被取付機構を有し、
前記取付機構と前記被取付機構とが互いに係合していないときに、前記光源部と前記ベース部とを互いに繋ぎ止めるフック機構を更に備えることを特徴とする発光モジュール。
【請求項２】
前記フック機構は、前記光源部及び前記ベース部のいずれか一方に取り付けられたワイヤ部材と、他方に設けられ前記ワイヤ部材と係合するフック部材と、を有し、
前記ワイヤ部材は、前記フック部材との係合箇所と対峙する箇所を支点として前記光源部又は前記ベース部に対して回動可能となっていることを特徴とする請求項１に記載の発光モジュール。
【請求項３】
前記発光モジュールを前記ベース部側から見た平面視において、
前記ベース部は、自身の中心を通る中心線上における両側面の各々に前記ワイヤ部材を取り付けるための一対のワイヤ取付穴を有し、
前記ワイヤ部材は、Ｃ字状とされ、その両端部の各々に前記一対のワイヤ取付穴に挿通される一対の挿通部を有し、
前記光源部は、矩形状とされ、その一対の辺の各々が前記中心線と平行となるように配置されていることを特徴とする請求項２に記載の発光モジュール。
【請求項４】
前記平面視において、前記ワイヤ部材は、前記ベース部の中心線と平行な前記光源部の一辺に沿って設けられた直線部を有することを特徴とする請求項３に記載の発光モジュール。
【請求項５】
前記平面視において、前記ワイヤ部材は、前記直線部を長辺とし前記一対の挿通部同士を繋ぐ線分を短辺とする台形状とされていることを特徴とする請求項４に記載の発光モジュール。
【請求項６】
前記平面視において、前記ベース部は、前記光源部の中央に配置され、
前記ベース部の中心線から前記直線部までの距離は、前記中心線と直交する方向における前記光源部の全幅の半分となっていることを特徴とする請求項４又は請求項５に記載の発光モジュール。
【請求項７】
前記平面視において、前記ワイヤ部材は、前記ベース部の円周に沿って配置されていることを特徴とする請求項３に記載の発光モジュール。
【請求項８】
前記平面視において、前記ワイヤ部材は、前記一対の挿通部の各々から離れた部分に前記光源部の周縁方向に延設された延設部を有することを特徴とする請求項７に記載の発光モジュール。
【請求項９】
前記平面視において、前記一対の挿通部の各々は、前記ベース部の中心線に沿って前記発光モジュールの外方に向かって伸びていることを特徴とする請求項３乃至請求項８のいずれか一項に記載の発光モジュール。
【請求項１０】
前記ワイヤ部材は、複数のワイヤにより構成されていることを特徴とする請求項３乃至請求項９のいずれか一項に記載の発光モジュール。
【請求項１１】
前記フック部材は、前記光源部に設けられ、前記フック部材の先端が前記光源部の重心に向かうように配置されていることを特徴とする請求項３乃至請求項１０のいずれか一項に記載の発光モジュール。
【請求項１２】
前記光源部は、前記取付面に凹部を有し、
前記凹部は、前記光源部を前記ベース部に装着したときに、該ベース部によって覆われない前記取付面領域において前記ワイヤ部材が前記取付面よりも前記ベース部側に突出しないように前記ワイヤ部材を収納することを特徴とする請求項３乃至請求項１１のいずれか一項に記載の発光モジュール。
【請求項１３】
前記ワイヤ部材は、前記フック部材との係合箇所と前記一対の挿通部との間に、ユーザが前記ワイヤ部材を把持するときに用いられる持ち手を有することを特徴とする請求項３乃至請求項１２のいずれか一項に記載の発光モジュール。
【請求項１４】
前記一対のワイヤ取付穴は、前記ベース部の装着面に対して斜めに伸びるように形成され、
前記ワイヤ部材は、前記平面視において、前記一対の挿通部の各端部から該一対の挿通部同士を繋ぐ線分と直交する方向に伸びる一対の引掛部を有することを特徴とする請求項３乃至請求項１３のいずれか一項に記載の発光モジュール。
【請求項１５】
前記ベース部は、前記一対のワイヤ取付穴への前記ワイヤ部材の取り付けを容易にするためのガイド部を更に有することを特徴とする請求項３乃至請求項１３のいずれか一項に記載の発光モジュール。
【請求項１６】
前記ガイド部は、前記一対のワイヤ取付穴の前記装着面側の端部から前記ワイヤ取付穴の半周に亘って設けられた周枠と、前記周枠の前記装着面側とは反対側の端部から該装着面と平行に前記周枠が形成されていない方向に伸びる平行枠と、を有することを特徴とする請求項１５に記載の発光モジュール。
【請求項１７】
前記ガイド部は、前記一対のワイヤ取付穴から前記装着面に向かって伸び前記ワイヤ部材の挿通部の端部が嵌り込む一対の溝を有することを特徴とする請求項１５に記載の発光モジュール。
【請求項１８】
前記ガイド部は、前記一対のワイヤ取付穴から前記装着面と平行で且つ互いに同方向に伸び前記ワイヤ部材の挿通部の端部が嵌り込む一対の平行溝を有することを特徴とする請求項１５に記載の発光モジュール。
【請求項１９】
請求項１乃至請求項１８のいずれか一項に記載の発光モジュールを備えたことを特徴とする照明装置。
【発明の詳細な説明】
【技術分野】
【０００１】
本発明は、有機ＥＬ素子を光源とする発光モジュール及びそれを用いた照明装置に関する。
【背景技術】
【０００２】
有機ＥＬ素子は、低電圧で高輝度の発光が可能であり、含有する有機化合物の種類によって様々な発光色が得られ、且つ平板状の発光パネルとしての製造が容易である。そのため、近年、有機ＥＬ素子を光源とする発光モジュールの開発が進められている。
【０００３】
このような発光モジュールとして、有機ＥＬ素子を有する平板状の光源部と、この光源部を着脱可能に装着する平板状の装着部（ベース部）と、を備えたものが知られている（例えば、特許文献１参照）。光源部は、一面を発光面とし、この発光面とは反対側の面にベース部との係合に用いられる爪部を有する。一方、ベース部は、光源部と相対する装着面に光源部の爪部と係合する保持部を有する。保持部は、装着面と平行な方向にスライド可能となるように付勢機構によって付勢されており、付勢された状態で爪部と係合する。
【先行技術文献】
【特許文献】
【０００４】
【特許文献１】特開２０１２−１８６００６号公報
【発明の概要】
【発明が解決しようとする課題】
【０００５】
しかしながら、上述したような発光モジュールでは、光源部をベース部から取り外す際に、作業者は付勢機構による付勢力に逆らって光源部を引っ張る必要があるので、勢い余って光源部をベース部から落下させてしまう虞がある。
【０００６】
本発明は、上記課題を解決するものであって、光源部を着脱可能に装着するベース部を備えた発光モジュールにおいて、光源部をベース部から取り外す際に光源部の落下を防止することができる発光モジュールを提供することを目的とする。
【課題を解決するための手段】
【０００７】
本発明の発光モジュールは、平板状の光源部と、この光源部よりも小さい円板状のベース部と、を備え、前記光源部は、一の面を発光面として、前記発光面とは反対側の取付面に自身を前記ベース部に着脱可能に取り付けるための取付機構を有し、前記ベース部は、前記光源部を装着する装着面に前記取付機構と係合する被取付機構を有し、前記取付機構と前記被取付機構とが互いに係合していないときに、前記光源部と前記ベース部とを互いに繋ぎ止めるフック機構を更に備えることを特徴とする。
【０００８】
前記フック機構は、前記光源部及び前記ベース部のいずれか一方に取り付けられたワイヤ部材と、他方に設けられ前記ワイヤ部材と係合するフック部材と、を有し、前記ワイヤ部材は、前記フック部材との係合箇所と対峙する箇所を支点として前記光源部又は前記ベース部に対して回動可能となっていることが好ましい。
【０００９】
前記発光モジュールを前記ベース部側から見た平面視において、前記ベース部は、自身の中心を通る中心線上における両側面の各々に前記ワイヤ部材を取り付けるための一対のワイヤ取付穴を有し、前記ワイヤ部材は、Ｃ字状とされ、その両端部の各々に前記一対のワイヤ取付穴に挿通される一対の挿通部を有し、前記光源部は、矩形状とされ、その一対の辺の各々が前記中心線と平行となるように配置されていることが好ましい。
【００１０】
前記平面視において、前記ワイヤ部材は、前記ベース部の中心線と平行な前記光源部の一辺に沿って設けられた直線部を有することが好ましい。
【００１１】
前記平面視において、前記ワイヤ部材は、前記直線部を長辺とし前記一対の挿通部同士を繋ぐ線分を短辺とする台形状とされていることが好ましい。
【００１２】
前記平面視において、前記ベース部は、前記光源部の中央に配置され、前記ベース部の中心線から前記直線部までの距離は、前記中心線と直交する方向における前記光源部の全幅の半分となっていることが好ましい。
【００１３】
前記平面視において、前記ワイヤ部材は、前記ベース部の円周に沿って配置されていることが好ましい。
【００１４】
前記平面視において、前記ワイヤ部材は、前記一対の挿通部の各々から離れた部分に前記光源部の周縁方向に延設された延設部を有することが好ましい。
【００１５】
前記平面視において、前記一対の挿通部の各々は、前記ベース部の中心線に沿って前記発光モジュールの外方に向かって伸びていることが好ましい。
【００１６】
前記ワイヤ部材は、複数のワイヤにより構成されていることが好ましい。
【００１７】
前記フック部材は、前記光源部に設けられ、前記フック部材の先端が前記光源部の重心に向かうように配置されていることが好ましい。
【００１８】
前記光源部は、前記取付面に凹部を有し、前記凹部は、前記光源部を前記ベース部に装着したときに、該ベース部によって覆われない前記取付面領域において前記ワイヤ部材が前記取付面よりも前記ベース部側に突出しないように前記ワイヤ部材を収納することが好ましい。
【００１９】
前記ワイヤ部材は、前記フック部材との係合箇所と前記一対の挿通部との間に、ユーザが前記ワイヤ部材を把持するときに用いられる持ち手を有することが好ましい。
【００２０】
前記一対のワイヤ取付穴は、前記ベース部の装着面に対して斜めに伸びるように形成され、前記ワイヤ部材は、前記平面視において、前記一対の挿通部の各端部から該一対の挿通部同士を繋ぐ線分と直交する方向に伸びる一対の引掛部を有することが好ましい。
【００２１】
前記ベース部は、前記一対のワイヤ取付穴への前記ワイヤ部材の取り付けを容易にするためのガイド部を更に有することが好ましい。
【００２２】
前記ガイド部は、前記一対のワイヤ取付穴の前記装着面側の端部から前記ワイヤ取付穴の半周に亘って設けられた周枠と、前記周枠の前記装着面側とは反対側の端部から該装着面と平行に前記周枠が形成されていない方向に伸びる平行枠と、を有することが好ましい。
【００２３】
前記ガイド部は、前記一対のワイヤ取付穴から前記装着面に向かって伸び前記ワイヤ部材の挿通部の端部が嵌り込む一対の溝を有することが好ましい。
【００２４】
前記ガイド部は、前記一対のワイヤ取付穴から前記装着面と平行で且つ互いに同方向に伸び前記ワイヤ部材の挿通部の端部が嵌り込む一対の平行溝を有することが好ましい。
【００２５】
本発明の照明装置は、上記発光モジュールを備えたことを特徴とする。
【発明の効果】
【００２６】
本発明によれば、取付機構と被取付機構との係合だけでなく、フック機構による繋ぎ止めによっても光源部がベース部に接続されている。そのため、光源部をベース部から取り外す際に、例えば、作業者が光源部を引っ張り過ぎて取付機構と被取付機構との係合が急に外れたとしても、フック機構により光源部とベース部とが互いに繋ぎ止められているので光源部のベース部からの落下を防止できる。
【図面の簡単な説明】
【００２７】
【図１】本発明の実施形態に係る発光モジュールの斜視図。
【図２】上記発光モジュールの平面図。
【図３】上記発光モジュールを図２のＩ方向から見た側面図。
【図４】（ａ）乃至（ｃ）は、上記発光モジュールを構成するベース部への光源部の装着動作を示す図２のＩＩ−ＩＩ線断面図。
【図５】上記ベース部にワイヤ部材を取り付けたときの側面図。
【図６】上記光源部にワイヤ部材を取り付けたときの側面図。
【図７】上記発光モジュールにおいて光源部とベース部がワイヤ部材により繋がれている様子を示す側面図。
【図８】上記実施形態の変形例に係る発光モジュールの平面図。
【図９】（ａ）は上記実施形態の他の変形例に係る発光モジュールの平面図、（ｂ）は同発光モジュールにおいて光源部にワイヤ部材を係合させるときの様子を示す側面図。
【図１０】（ａ）は上記実施形態の更に他の変形例に係る発光モジュールの平面図、（ｂ）は複数の同発光モジュールを互いに隣接して配置するときの様子を示す平面図。
【図１１】上記実施形態の更に他の変形例に係る発光モジュールを構成するベース部の側面図。
【図１２】上記発光モジュールを構成するワイヤ部材の平面図。
【図１３】（ａ）乃至（ｃ）は、上記ワイヤ部材とベース部との係合の様子を示す側面図。
【図１４】（ａ）は他の実施形態に係る発光モジュールの平面図、（ｂ）は同発光モジュールを（ａ）のＩ方向から見た側面図。
【図１５】上記実施形態の変形例に係る発光モジュールの平面図。
【図１６】上記実施形態の他の変形例に係る発光モジュールを構成するワイヤ部材の平面図。
【図１７】上記ワイヤ部材をベース部に取り付けるときの様子を示す斜視図。
【図１８】（ａ）（ｂ）は、上記実施形態の更に他の変形例に係る発光モジュールを構成するベース部にワイヤ部材を取り付けるときの動作を示す斜視図。
【図１９】上記発光モジュールを構成するベース部の他の例を示す斜視図。
【図２０】上記発光モジュールを構成するベース部の更に他の例を示す斜視図。
【図２１】上記実施形態の更に他の変形例に係る発光モジュールの平面図。
【図２２】上記発光モジュールを構成するベース部の斜視図。
【図２３】（ａ）（ｂ）は、上記ベース部にワイヤ部材を取り付けるときの動作を示す平面図。
【図２４】更に他の実施形態に係る発光モジュールの斜視図。
【図２５】（ａ）は上記発光モジュールを構成するワイヤ部材の斜視図、（ｂ）は（ａ）のＩ−Ｉ線断面図。
【図２６】上記発光モジュールを図２４のＩ方向から見た側面図。
【発明を実施するための形態】
【００２８】
本発明の実施形態に係る発光モジュールについて図１乃至図７を参照して説明する。発光モジュール１は、照明装置の一部を構成する。
【００２９】
図１乃至図３に示すように、発光モジュール１は、矩形平板状の光源部２と、光源部２を着脱可能に装着し光源部２よりも小さい円板状のベース部３と、光源部２とベース部３とを互いに繋ぎ止めるフック機構４と、を備える。光源部２は、一の面を光を照射する発光面２Ａとして、発光面２Ａとは反対側の取付面２Ｂを介してベース部３に装着される。ベース部３は、一の面を光源部２が装着される装着面３Ａとして、装着面３Ａとは反対側の面を介して天井や壁等の施工面に設けられた穴Ｈに埋込設置されている（図３参照）。フック機構４は、光源部２及びベース部３のいずれか一方に取り付けられたワイヤ部材５と、他方に設けられワイヤ部材５と係合するフック部材６と、を有する。図例では、ワイヤ部材５がベース部３に取り付けられ、フック部材６が光源部２の取付面２Ｂに設けられている。
【００３０】
ベース部３は、発光モジュール１をベース部３側から見た平面視（以下、単に平面視という、図２参照）において、光源部２の中央に配置されている。ベース部３は、自身の中心Ｃを通る中心線ＣＬ上における両側面の各々にワイヤ部材５を取り付けるための一対のワイヤ取付穴３１ａ、３１ｂを有する。また、ベース部３は、光源部２の取付面２Ｂから立設された給電端子（不図示）を挟持する端子受部（不図示）と、この端子受部と電気的に接続された回路基板（不図示）と、を有する。回路基板は、商用電源から光源部２への電力供給を制御する。
【００３１】
光源部２は、平面視において、一対の辺Ｓ１、Ｓ２がベース部３の中心線ＣＬと平行となり、且つもう一対の辺Ｓ３、Ｓ４がベース部３の中心Ｃを通って中心線ＣＬと直交する直交線ＯＬと平行となるように配置されている。光源部２は、有機ＥＬ素子を光源とする矩形平板状の発光パネル２１と、発光パネル２１の発光面及び側面を覆う透光性の前面カバー２２と、発光パネル２１の発光面とは反対側の面を覆い前面カバー２２と係合する背面カバー２３と、を有する。
【００３２】
ワイヤ部材５は、平面視において略Ｃ字状とされ、その両端部の各々にベース部３のワイヤ取付穴３１ａ、３１ｂに挿通される一対の挿通部５１ａ、５１ｂを有する。挿通部５１ａ、５１ｂは、中心線ＣＬに沿って設けられている。また、ワイヤ部材５は、挿通部５１ａ、５１ｂの発光モジュール１外方側の端部から光源部２の辺Ｓ３、Ｓ４に沿って互いに同方向に伸びる中継部５２ａ、５２ｂと、中継部５２ａ、５２ｂの端部同士を繋ぐ直線部５３と、を有する。直線部５３は、光源部２の辺Ｓ１に沿って設けられ、フック部材６１、６２（後述参照）に係合している。
【００３３】
ワイヤ部材５は、例えば、ステンレス等の金属材料により構成され、後述するように、ベース部３への取り付けに際して人力で変形可能な程度の可撓性を有する。ワイヤ部材５をベース部３のワイヤ取付穴３１ａ、３１ｂに取り付けるには、まず、中継部５２ａ、５２ｂの各々を掴んで、挿通部５１ａ、５１ｂ間の距離がベース部３の直径よりも大きくなるようにワイヤ部材５を変形させる。次いで、この状態のまま挿通部５１ａ、５１ｂの端部とワイヤ取付穴３１ａ、３１ｂとを位置合わせした後、中継部５２ａ、５２ｂにかけた力を緩めてワイヤ部材５を元の形状に戻す。これにより、挿通部５１ａ、５１ｂがワイヤ取付穴３１ａ、３１ｂに挿通されて、ワイヤ部材５がワイヤ取付穴３１ａ、３１ｂに取り付けられる。
【００３４】
フック部材６は、平面視において、光源部２の辺Ｓ１に隣接して設けられ互いに距離を置いて配置された２つのフック部材６１、６２を有する。また、フック部材６は、直交線ＯＬ上においてベース部３に隣接して設けられたフック部材６３と、直交線ＯＬ上において光源部２の辺Ｓ２に隣接して設けられたフック部材６４と、を有する。フック部材６３については後述する本発明の他の実施形態で説明し、フック部材６４については後述する本発明の他の実施形態の変形例で説明する。これらフック部材６１乃至６４は、各々の先端が光源部２の重心Ｇに向かうように配置されている（図３参照）。
【００３５】
図４（ａ）に示すように、光源部２は、取付面２Ｂに自身をベース部３に着脱可能に取り付けるための取付機構２４を有し、ベース部３は、装着面３Ａに取付機構２４と係合する被取付機構３２を有する。取付機構２４は、取付面２Ｂから立設された一対の保持部２５ａ、２５ｂを有する。保持部２５ａ、２５ｂは、光源部２の中心に対して互いに点対称に配置され、光源部２の内方に向かって伸びる保持爪２６ａ、２６ｂを有する。保持爪２６ａ、２６ｂは、被取付機構３２との係合に用いられる。被取付機構３２は、装着面３Ａに設けられ光源部２の保持部２５ａ、２５ｂが挿通される孔３３ａ、３３ｂと、孔３３ａ、３３ｂの直下に配置され光源部２の保持爪２６ａ、２６ｂと係合する係合爪３４ａ、３４ｂと、を有する。また、被取付機構３２は、係合爪３４ａ、３４ｂをベース部３の中央から外方に向かって弾性付勢するバネ３５ａ、３５ｂを有する。
【００３６】
光源部２をベース部３に装着するときの動作について、上述した図４（ａ）に加えて図４（ｂ）（ｃ）を更に参照して説明する。まず、図４（ａ）に示すように、ベース部３の孔３３ａ、３３ｂと光源部２の保持部２５ａ、２５ｂとが互いに相対するように、ベース部３に対して光源部２を配置する。この状態から、図４（ｂ）に示すように、光源部２をベース部３の方に近づけると、保持部２５ａ、２５ｂが孔３３ａ、３３ｂに挿入され、保持部２５ａ、２５ｂの保持爪２６ａ、２６ｂが係合爪３４ａ、３４ｂと接触する。そうすると、係合爪３４ａ、３４ｂは、バネ３５ａ、３５ｂによる付勢に抗してベース部３の内方側にスライド移動し、保持爪２６ａ、２６ｂの頂部２７ａ、２７ｂを乗り越えた時点で再びバネ３５ａ、３５ｂによってベース部３の外方側に付勢される。これにより、図４（ｃ）に示すように、保持爪２６ａ、２６ｂと係合爪３４ａ、３４ｂとが互いに係合し、光源部２がベース部３に装着される。一方、光源部２をベース部３から取り外す場合には、光源部２をベース部３から引き離すように引っ張って、上述した図４（ａ）乃至（ｃ）の過程を逆に行えばよい。なお、図４（ａ）乃至（ｃ）では、断面ハッチングの一部及びワイヤ部材５の図示を省略している。
【００３７】
図５に示すように、ワイヤ部材５は、フック部材６との係合箇所である直線部５３と対峙する箇所を支点として、ベース部３に対して回動可能となるようにワイヤ取付穴３１ａ、３１ｂに保持されている。なお、図６に示すように、ワイヤ部材５は、直線部５３を介してフック部材６に取り付けられ、光源部２に対して回動可能とされてもよい。この場合には、ベース部３のワイヤ取付穴３１ａ（３１ｂ）が、フック部材６として機能する。
【００３８】
図７に示すように、発光モジュール１によれば、光源部２の取付機構２４とベース部３の被取付機構３２との係合だけでなく、フック機構４による光源部２とベース部３との繋ぎ止めによっても光源部２がベース部３に接続されている。そのため、例えば、光源部２をベース部３から取り外す際に、作業者が光源部２を引っ張り過ぎて取付機構２４と被取付機構３２との係合が急に外れたとしても、フック機構４により光源部２とベース部３とが互いに繋ぎ止められている。このように、取付機構２４と被取付機構３２とが互いに係合していないときに光源部２とベース部３とを互いに繋ぎ止めるフック機構４が設けられているので、光源部２のベース部３からの落下を防止することができる。
【００３９】
また、光源部２をベース部３に装着する場合には、予めワイヤ部材５により光源部２とベース部３とを互いに繋ぎ止めた状態で、ワイヤ部材５をベース部３に対して回動させるようにして光源部２をベース部３に接近させる。この動作により、光源部２の取付機構２４とベース部３の被取付機構３２とが互いに係合する位置に配置される。このようにワイヤ部材５を取付機構２４と被取付機構３２との間の位置合わせ部材として用いることで、目視により取付機構と被取付機構との位置合わせを行っていた従来の発光モジュールに比べて、簡単に光源部２をベース部３に装着することができる。
【００４０】
また、ワイヤ部材５に直線部５３が設けられ、直線部５３の両端においてフック部材６１、６２によりワイヤ部材５が保持されているので、ワイヤ部材５のぐらつきを防止することができる。また、ワイヤ部材５を光源部２及びベース部３の各々に取り付けてから光源部２をベース部３に装着するようにすれば、ワイヤ部材５を光源部２とベース部３との位置合わせ部材として活用することができる。更に、フック部材６の先端が光源部２の重心Ｇに向かっているので、ワイヤ部材５によって光源部２がベース部３から吊り下がったときにワイヤ部材５がフック部材６から外れ難くなって、より確実に光源部２のベース部３からの落下を防止することができる。
【００４１】
次に、上記実施形態の変形例に係る発光モジュールについて図８を参照して説明する。発光モジュール１ａは、上述した発光モジュール１を基に、ワイヤ部材５の形状を変更したものである。発光モジュール１ａのワイヤ部材５は、平面視において、直線部５３を長辺とし、挿通部５１ａ、５１ｂ間を繋ぐ線分Ｌを短辺とする台形状とされている。このようにすることで、挿通部５１ａ、５１ｂ近傍におけるワイヤ部材５のぐらつき及び撓みが抑制されるので、ワイヤ部材５がワイヤ取付穴３１ａ、３１ｂから外れ難くなる。そのため、光源部２をベース部３から取り外す際に、より確実に光源部２の落下を防止することができる。
【００４２】
次に、上記実施形態の他の変形例に係る発光モジュールについて図９（ａ）（ｂ）を参照して説明する。発光モジュール１ｂは、上述した発光モジュール１を基に、ワイヤ部材５の形状を変更したものである。
【００４３】
図９（ａ）に示すように、発光モジュール１ｂのワイヤ部材５は、複数のワイヤにより構成され、図例では２つのワイヤ５ａ、５ｂにより構成されている。ワイヤ５ａは、発光モジュール１のワイヤ部材５と同一とされ、ベース部３に取り付けられている。ワイヤ５ａは、フック部材６に係合していない。ワイヤ５ｂは、略Ｃ字状とされ、光源部２の辺Ｓ３、Ｓ４の全幅に沿って伸びる中継部５４ａ、５４ｂと、中継部５４ａ、５４ｂの辺Ｓ１側の端部同士を繋ぐ直線部５５と、を有し、直線部５５を介してフック部材６１、６２に係合している。ワイヤ５ｂの中継部５４ａ、５４ｂの辺Ｓ２側の端部は、ワイヤ５ａにおける中継部５２ａ、５２ｂの辺Ｓ２側の端部に対して回動可能となるように軸支されている。
【００４４】
図９（ｂ）に示すように、上記のように構成された発光モジュール１ｂでは、ベース部３からワイヤ部材５を吊り下げたときに、ワイヤ５ａに対してワイヤ５ｂが回動してワイヤ部材５全体の長さが長くなる。これにより、ベース部３からワイヤ部材５を吊り下げて、ワイヤ部材５と光源部２に設けられたフック部材６１（６２）とを係合させる場合に、光源部２とベース部３との間に十分な距離を確保することができるので係合操作をやり易くすることができる。
【００４５】
次に、上記実施形態の更に他の変形例に係る発光モジュールについて図１０（ａ）（ｂ）を参照して説明する。発光モジュール１ｃは、上述した発光モジュール１を基に、ワイヤ部材５の大きさを変更したものである。
【００４６】
図１０（ａ）に示すように、発光モジュール１ｃのワイヤ部材５では、ベース部３の中心線ＣＬから直線部５３までの距離Ｄが、直交線ＯＬが伸びる方向における光源部２の全幅Ｗの半分となっている。ワイヤ部材５は、直線部５３を介して光源部２の辺Ｓ１上に設けられたフック部材６１’、６２’に係合している。
【００４７】
図１０（ｂ）に示すように、複数の発光モジュール１ｃを直交線ＯＬに沿って互いに隙間無く配置する場合、施工面に対して複数のベース部３を互いに縦列して取り付ける必要がある。このとき、距離Ｄが光源部２の全幅Ｗの半分とされているので、一のベース部３に取り付けられたワイヤ部材５の直線部５３と、一のベース部３に隣接するベース部３に取り付けられたワイヤ部材５の直線部５３と、が互いに接するようにベース部３を配置する。このようにワイヤ部材５をスケールとして利用することで、各ベース部３間の距離を２Ｄ、すなわち、光源部２の全幅Ｗとして、これらベース部３に光源部２を装着すれば複数の光源部２を互いに隙間無く配置することができる。
【００４８】
次に、上記実施形態の更に他の変形例に係る発光モジュールについて図１１乃至図１３を参照して説明する。本発光モジュールは、上述した発光モジュール１を基に、ベース部３のワイヤ取付穴３１ａ、３１ｂの形状及びワイヤ部材５の形状を変更したものである。
【００４９】
図１１に示すように、本発光モジュールのベース部３では、ワイヤ取付穴３１ａ（３１ｂ）が、ベース部３の装着面３Ａに対して斜めに伸びるように形成され、図例では、装着面３Ａに対して左に略４５°傾斜している。また、図１２に示すように、ワイヤ部材５は、平面視において、挿通部５１ａ、５１ｂ（ドットで示す）のワイヤ部材５内方側の端部から、挿通部５１ａ、５１ｂを繋ぐ線分Ｌと直交してワイヤ部材５外方側に伸びる一対の引掛部５６ａ、５６ｂを有する。
【００５０】
上記のように構成されたワイヤ部材５をワイヤ取付穴３１ａ（３１ｂ）に取り付けた場合のワイヤ部材５の動作について図１３（ａ）乃至（ｃ）を参照して説明する。図１３（ａ）は、ベース部３の側面視において、ベース部３の装着面３Ａとワイヤ部材５との成す角度が略０°となるように、紙面の左側からワイヤ部材５をワイヤ取付穴３１ａ（３１ｂ）に取り付けた状態を示す。この状態は、ベース部３に光源部２が装着されているときのワイヤ部材５の状態に対応する。このとき、ワイヤ部材５の引掛部５６ａ（５６ｂ）がベース部３の内壁に当接しているので、ワイヤ部材５は、ワイヤ取付穴３１ａ（３１ｂ）から抜け落ちない。一方、図１３（ｂ）は、ワイヤ部材５と装着面３Ａとの成す角度が略９０°となるように、ワイヤ部材５をワイヤ取付穴３１ａ（３１ｂ）に取り付けた状態を示す。この状態は、天井に取り付けたベース部３からワイヤ部材５によって光源部２が吊り下がっているときのワイヤ部材５の状態に対応する。この状態でも、図１３（ａ）に示した状態と同様に、ワイヤ部材５の引掛部５６ａ（５６ｂ）がベース部３の内壁に当接しているので、ワイヤ部材５は、ワイヤ取付穴３１ａ（３１ｂ）から抜け落ちない。図１３（ｃ）は、引掛部５６ａ（５６ｂ）が伸びる方向と、ワイヤ取付穴３１ａ（３１ｂ）が伸びる方向と、が互いに一致した状態を示す。この状態では、引掛部５６ａ（５６ｂ）がベース部３の内壁と干渉しないので、ワイヤ部材５がワイヤ取付穴３１ａ（３１ｂ）に対して着脱可能となる。
【００５１】
上記のように、所定の角度でのみワイヤ部材５がワイヤ取付穴３１ａ（３１ｂ）に着脱可能とされ、ベース部３に光源部２が装着されているときやベース部３から光源部２が吊り下がっているときには、ワイヤ部材５はワイヤ取付穴３１ａ（３１ｂ）から外れない。これにより、意図せずワイヤ部材５がワイヤ取付穴３１ａ（３１ｂ）から外れてしまう事故を防止することができる。
【００５２】
次に、本発明の他の実施形態に係る発光モジュールについて図１４（ａ）（ｂ）を参照して説明する。発光モジュール１１は、上述した発光モジュール１を基に、ワイヤ部材５の形状を変更すると共に、フック部材６１、６２、６４を取り除いたものである。発光モジュール１１のワイヤ部材５は、平面視において、挿通部５１ａ、５１ｂの発光モジュール１１外方側の端部からベース部３の半周に沿って設けられた周部５７を有する。周部５７は、フック部材６４に係合している。このようにワイヤ部材５を構成することで、発光モジュール１を施工面に取り付ける場合（図３参照）に比べて、施工面に設ける穴Ｈを小さくすることができる（図１４（ｂ）参照）。
【００５３】
次に、上記実施形態の変形例に係る発光モジュールについて図１５を参照して説明する。発光モジュール１１ａは、上述した発光モジュール１１を基に、ワイヤ部材５の形状を変更すると共に、フック部材６４を再び設けたものである。発光モジュール１１ａのワイヤ部材５は、平面視において、挿通部５１ａ、５１ｂの各々から離れた部分に光源部２の辺Ｓ２方向（周縁方向）に延設された延設部５８を有する。延設部５８は、略Ｃ字状とされ、フック部材６４に係合している。このようにすることで、ベース部３からワイヤ部材５を吊り下げて、ワイヤ部材５と光源部２に設けられたフック部材６４とを係合させる場合に、上述した発光モジュール１１と比べて、光源部２とベース部３との間の距離を大きくすることができる。これにより、ワイヤ部材５とフック部材６４との係合を行い易くなって操作性を向上することができる。
【００５４】
次に、上記実施形態の他の変形例に係る発光モジュールについて図１６及び図１７を参照して説明する。図１６に示すように、本発光モジュールのワイヤ部材５は、上述した発光モジュール１１ａのワイヤ部材５を基に、ユーザがワイヤ部材５を把持するときに用いられる一対の持ち手５９ａ、５９ｂを更に設けたものである。持ち手５９ａ、５９ｂは、ユーザの指が入るように構成された輪状とされ、延設部５８（フック部材６４との係合箇所）と挿通部５１ａ、５１ｂとの間に配置されている。
【００５５】
持ち手５９ａ、５９ｂには、例えば、ユーザの片方の手の親指と人差し指がそれぞれ挿入され、親指と人差し指を互いに離すように動かせば、挿通部５１ａ、５１ｂ間の距離を広げることができる。これにより、例えば、図１７に示すように、光源部２に係合されたワイヤ部材５をベース部３のワイヤ取付穴３１ａ（３１ｂ）に取り付ける場合には、片方の手で光源部２を保持する。そして、もう片方の手の親指と人差し指をそれぞれ持ち手５９ａ、５９ｂに挿入して挿通部５１ａ、５１ｂ間の距離を広げることで、ワイヤ部材５をワイヤ取付穴３１ａ（３１ｂ）に取り付けることができる。このようにワイヤ部材５をワイヤ取付穴３１ａ（３１ｂ）に取り付ける操作を片手で容易に行うことができるので、操作性を良くすることができる。
【００５６】
次に、上記実施形態の更に他の変形例に係る発光モジュールについて図１８乃至図２０を参照して説明する。本発光モジュールは、上述した発光モジュール１１を基に、ワイヤ取付穴３１ａ、３１ｂへのワイヤ部材５の取り付けを容易にするためのガイド部７をベース部３に設けたものである。
【００５７】
図１８（ａ）に示したガイド部７は、ワイヤ取付穴３１ａ（３１ｂ）からベース部３の装着面３Ａに向かって伸びワイヤ部材５の挿通部５１ａ（５１ｂ）の端部が嵌り込む溝７３を有する。溝７３は、ワイヤ取付穴３１ａ（３１ｂ）から装着面３Ａに向かうにつれてベース部３の内方側に傾斜している。
【００５８】
ワイヤ取付穴３１ａ（３１ｂ）にワイヤ部材５を取り付けるには、ワイヤ部材５の挿通部５１ａ（５１ｂ）を装着面３Ａ側から溝７３に近づけ、挿通部５１ａ（５１ｂ）の端部を溝７３に当接させた状態でワイヤ取付穴３１ａ（３１ｂ）の方向にスライド移動させる。これにより、図１８（ｂ）に示すように、挿通部５１ａ（５１ｂ）がワイヤ取付穴３１ａ（３１ｂ）に取り付けられる。このとき、溝７３が装着面３Ａに向かうにつれてベース部３の内方側に傾斜しているので、挿通部５１ａ（５１ｂ）をワイヤ取付穴３１ａ（３１ｂ）の方向にスライド移動させる過程で、自然に挿通部５１ａ、５１ｂ間の距離が広がる。これにより、図１６及び図１７に示したワイヤ部材５のように手で挿通部５１ａ、５１ｂ間の距離を広げる場合に比べて、簡単にワイヤ部材５をワイヤ取付穴３１ａ（３１ｂ）に取り付けることができる。
【００５９】
図１９に示したガイド部７は、ワイヤ取付穴３１ａ（３１ｂ）から装着面３Ａと平行な方向に伸びワイヤ部材５の挿通部５１ａ（５１ｂ）の端部が嵌り込む平行溝７４（ドットで示す）を有する。ワイヤ取付穴３１ａに設けられた平行溝７４とワイヤ取付穴３１ｂに設けられた平行溝７４（不図示）は、互いに同方向に伸びている。
【００６０】
ワイヤ取付穴３１ａ（３１ｂ）にワイヤ部材５を取り付けるには、平行溝７４が伸びる方向からワイヤ部材５を平行溝７４に近づけ、挿通部５１ａ（５１ｂ）の端部を平行溝７４に当接させた状態でワイヤ取付穴３１ａ（３１ｂ）の方向にスライド移動させる。このとき、平行溝７４がベース部３の円周に沿って傾斜しているので、挿通部５１ａ（５１ｂ）をワイヤ取付穴３１ａ（３１ｂ）の方向にスライド移動させる過程で、自然に挿通部５１ａ、５１ｂ間の距離が広がる。これにより、上述した図１８（ａ）（ｂ）に示したガイド部７と同様に、簡単にワイヤ部材５をワイヤ取付穴３１ａ（３１ｂ）に取り付けることができる。
【００６１】
図２０に示したガイド部７は、ワイヤ取付穴３１ａ（３１ｂ）の装着面３Ａ側の端部からワイヤ取付穴３１ａ（３１ｂ）の半周に亘って設けられた周枠７１を有する。また、ガイド部７は、周枠７１の装着面３Ａ側とは反対側の端部から装着面３Ａと平行に周枠７１が形成されていない方向に伸びる平行枠７２を有する。
【００６２】
ワイヤ取付穴３１ａ（３１ｂ）にワイヤ部材５を取り付けるには、まず、挿通部５１ａ、５１ｂ間の距離がベース部３の直径よりもやや大きくなるようにワイヤ部材５を変形した状態で、平行枠７２が伸びる方向からワイヤ部材５をガイド部７に近づける。次いで、挿通部５１ａ（５１ｂ）の端部を平行枠７２の装着面３Ａ側の面に当接させた状態で周枠７１に当たるまでスライド移動させ、挿通部５１ａ（５１ｂ）とワイヤ取付穴３１ａ（３１ｂ）との位置合わせを行う。この状態で、挿通部５１ａ、５１ｂ間の距離を大きくするためにワイヤ部材５にかけていた力を緩めると、挿通部５１ａ、５１ｂ間の距離が縮まって、挿通部５１ａ（５１ｂ）がワイヤ取付穴３１ａ（３１ｂ）に取り付けられる。このように、周枠７１及び平行枠７２を設けることで、挿通部５１ａ（５１ｂ）とワイヤ取付穴３１ａ（３１ｂ）との位置合わせが容易になるので、簡単にワイヤ部材５をワイヤ取付穴３１ａ（３１ｂ）に取り付けることができる。
【００６３】
以上、図１８乃至図２０で説明したように、ガイド部７を設けることでワイヤ部材５のワイヤ取付穴３１ａ、３１ｂへの取り付けが簡単になるので、本発光モジュールの操作性を向上することができる。
【００６４】
次に、上記実施形態の更に他の変形例に係る発光モジュールについて図２１乃至図２３を参照して説明する。発光モジュール１１ｂは、上述した発光モジュール１１ａを基に、ワイヤ部材５の形状及びベース部３のワイヤ取付穴の形状を変更したものである。
【００６５】
図２１に示すように、発光モジュール１１ｂのワイヤ部材５では、平面視において、挿通部５１ａ、５１ｂの各々が、ベース部３の中心線ＣＬに沿って発光モジュール１１ｂの外方側に向かって伸びている。一方、図２２に示すように、発光モジュール１１ｂのベース部３は、中心線ＣＬ上における両側面の各々から外方に向かって突設された突設片３６ａ、３６ｂと、突設片３６ａ、３６ｂの外方側の端部から装着面３Ａ側に伸長した伸長片３７ａ、３７ｂと、を有する。中心線ＣＬが伸びる方向における突設片３６ａ、３６ｂの長さは、同方向におけるワイヤ部材５の挿通部５１ａ、５１ｂの長さよりも長く構成されている。また、ベース部３は、伸長片３７ａ、３７ｂの中央に設けられたワイヤ取付穴３８ａ、３８ｂを有する。発光モジュール１１ｂでは、ワイヤ部材５のベース部３への取り付けにはワイヤ取付穴３１ａ、３１ｂではなく、ワイヤ取付穴３８ａ、３８ｂが用いられる。
【００６６】
上記のように構成されたワイヤ部材５をベース部３に取り付けるときの動作について図２３（ａ）（ｂ）を参照して説明する。まず、図２３（ａ）に示すように、ワイヤ部材５の周部５７を両脇から挟み込んでワイヤ部材５を撓ませ、挿通部５１ａ、５１ｂを伸長片３７ａ、３７ｂとベース部３の側面との間に配置する。この状態で挿通部５１ａ、５１ｂとワイヤ取付穴３８ａ、３８ｂを位置合わせした後、図２３（ｂ）に示すように、周部５７にかけていた力を緩める。そうすると、ワイヤ部材５が元の形状に戻るのに伴って、挿通部５１ａ、５１ｂがワイヤ取付穴３８ａ、３８ｂに挿入され、ワイヤ部材５がベース部３に取り付けられる。
【００６７】
上記のように周部５７を両脇から挟み込んでワイヤ部材５を撓ませる動作は、片手で行うことができる。そのため、発光モジュール１１ｂによれば、ワイヤ部材５をワイヤ取付穴３８ａ、３８ｂに取り付ける操作を片手で容易に行うことができるので、操作性を良くすることができる。
【００６８】
次に、本発明の更に他の実施形態に係る発光モジュールについて図２４乃至図２６を参照して説明する。図２４に示すように、発光モジュール１２は、上述した発光モジュール１１を基に、ワイヤ部材５（ドットで示す）の形状を変更すると共に、光源部２の取付面２Ｂにワイヤ部材５を収納する凹部２８を設けたものである。凹部２８は、平面視において、ワイヤ部材５の全長に沿って設けられ、直交線ＯＬ上における発光モジュール外方側の側面にワイヤ部材５と係合するフック部材６５を有する。
【００６９】
図２５（ａ）に示すように、発光モジュール１２のワイヤ部材５は、挿通部５１ａ、５１ｂの外方側の端部から一の方向に傾斜して設けられた一対の傾斜部６０ａ、６０ｂと、傾斜部６０ａ、６０ｂの端部を繋ぐように設けられた周部５７と、を有する。図２５（ｂ）に示すように、挿通部５１ａ、５１ｂを繋ぐ線分Ｌ（図２５（ａ）参照）が伸びる方向から見たワイヤ部材５の断面において、周部５７は単一平面に収まるように形成されている。ここで、周部５７から挿通部５１ａ（５１ｂ）までの高さＨ１は、光源部２がベース部３に装着されたときの凹部２８の底面からワイヤ取付穴３１ａ（３１ｂ）までの高さＨ２と略等しく構成されている（図２６参照）。
【００７０】
図２６に示すように、発光モジュール１２によれば、光源部２をベース部３に装着したときに、凹部２８が、ベース部３によって覆われない取付面領域２Ｃにおいてワイヤ部材５が取付面２Ｂよりもベース部３側に突出しないようにワイヤ部材５を収納する。これにより、ベース部３だけが収容される穴Ｈを施工面に設ければよいので、ベース部３とワイヤ部材５の両方が収容される穴Ｈを施工面に設ける必要のある発光モジュール１１に比べて、より穴Ｈを小さくすることができる。また、ワイヤ部材５に傾斜部６０ａ、６０ｂが設けられているので、ベース部３からワイヤ部材５を吊り下げて、ワイヤ部材５と光源部２に設けられたフック部材６５とを係合させる場合に、光源部２とベース部３との距離を大きくすることができる。これにより、ワイヤ部材５とフック部材６５との係合を行い易くして操作性を向上することができる。
【００７１】
なお、本発明に係る発光モジュール及び照明装置は、上記実施形態及びその変形例に限定されず種々の変形が可能である。例えば、光源部の形状は矩形平板状に限定されず、例えば、円板状とされてもよい。また、ワイヤ取付穴は、必ずしもベース部の中心線上に設けられる必要はなく、例えば、ベース部の端部に設けられてもよい。更に、フック機構は、例えば、紐状部材と、この紐状部材が括り付けられるフック部材と、により構成されていてもよい。
【符号の説明】
【００７２】
１、１ａ、１ｂ、１ｃ、１１，１１ａ、１１ｂ、１２  発光モジュール
２  光源部
２４  取付機構
２８  凹部
２Ａ  発光面
２Ｂ  取付面
２Ｃ  ベース部によって覆われない取付面領域
３  ベース部
３１ａ、３１ｂ  ワイヤ取付穴
３２  被取付機構
３Ａ  装着面
４  フック機構
５  ワイヤ部材
５ａ、５ｂ  ワイヤ
５１ａ、５１ｂ  挿通部
５３  直線部
５６ａ、５６ｂ  引掛部
５８  延設部
５９ａ、５９ｂ  持ち手
６、６１、６２、６３、６４、６５  フック部材
７  ガイド部
７１  周枠
７２  平行枠
７３  溝
７４  平行溝
Ｃ  ベース部の中心
ＣＬ  ベース部の中心を通る中心線
Ｄ  ベース部の中心線から直線部までの距離
Ｇ  光源部の重心
Ｌ  挿通部同士を繋ぐ線分
Ｓ１、Ｓ２  光源部の一対の辺
Ｗ  中心線と直交する方向における光源部の全幅
【図１】
2015022934.tif 000003
【図２】
2015022934.tif 000004
【図３】
2015022934.tif 000005
【図４】
2015022934.tif 000006
【図５】
2015022934.tif 000007
【図６】
2015022934.tif 000008
【図７】
2015022934.tif 000009
【図８】
2015022934.tif 000010
【図９】
2015022934.tif 000011
【図１０】
2015022934.tif 000012
【図１１】
2015022934.tif 000013
【図１２】
2015022934.tif 000014
【図１３】
2015022934.tif 000015
【図１４】
2015022934.tif 000016
【図１５】
2015022934.tif 000017
【図１６】
2015022934.tif 000018
【図１７】
2015022934.tif 000019
【図１８】
2015022934.tif 000020
【図１９】
2015022934.tif 000021
【図２０】
2015022934.tif 000022
【図２１】
2015022934.tif 000023
【図２２】
2015022934.tif 000024
【図２３】
2015022934.tif 000025
【図２４】
2015022934.tif 000026
【図２５】
2015022934.tif 000027
【図２６】
2015022934.tif 000028